(57)【要約】      （修正有）【課題】簡易な構成にもかかわらず、レンズ保持体が繰り出された状態で外力が加わっても、レンズ保持体のカムフォロアが、カム体のカム溝から外れるのを確実に防止したレンズ鏡筒およびカメラを得ること。【解決手段】第１レンズ保持体１０が光軸Ｆ方向に繰り出された状態で、第２レンズ保持体１４が、光軸Ｆを中心とした径方向で第１カムフォロア１２と重なるように配置される状態を有する。また、カメラ７０は、上述のレンズ鏡筒１を有する。【選択図】図１
2005189443.tif 000002
【特許請求の範囲】
【請求項１】
光軸方向に移動する第１レンズを保持する第１レンズ保持体と、
上記第１レンズ保持体に設けられた第１カムフォロアと、
上記第１レンズの後方に配置され、上記光軸方向に移動する第２レンズを保持すると共に、上記第１レンズ保持体の内側に配置される第２レンズ保持体と、
上記第２レンズ保持体に設けられた第２カムフォロアと、
上記第１カムフォロアが係合する第１カム溝および上記第２カムフォロアが係合する第２カム溝を内壁に有すると共に、上記第１レンズ保持体および上記第２レンズ保持体の周囲に配置されているカム体と、
を有し、
上記第１レンズ保持体が上記光軸方向に繰り出された状態で、上記第２レンズ保持体が、上記光軸を中心とした径方向で、上記第１カムフォロアと重なるように配置される状態を有することを特徴とするレンズ鏡筒。
【請求項２】
前記第２レンズ保持体が、前記光軸を中心とした径方向で、前記第１カムフォロアと常時重なるように配置されていることを特徴とする請求項１記載のレンズ鏡筒。
【請求項３】
前記第１カムフォロアに係合する第１案内孔および前記第２カムフォロアに係合する第２案内孔を備えた案内体を有し、
上記第１案内孔と上記第２案内孔とを兼用することを特徴とする請求項１または２記載のレンズ鏡筒。
【請求項４】
前記第１レンズは、最も前方に配置されたレンズであることを特徴とする請求項１から３のいずれか１項記載のレンズ鏡筒。
【請求項５】
前記第１カムフォロアは、前記第１レンズ保持体と一体成型されていることを特徴とする請求項１から４のいずれか１項記載のレンズ鏡筒。
【請求項６】
請求項１から５のいずれか１項記載のレンズ鏡筒を有することを特徴とするカメラ。
【請求項７】
光軸方向に移動する第１レンズと、
上記第１レンズを保持する第１レンズ保持体と、
上記第１レンズ保持体に設けられた第１カムフォロアと、
上記第１レンズの後方に配置され、上記光軸方向に移動する第２レンズと、
上記第２レンズを保持すると共に、上記第１レンズ保持体の内側に配置される第２レンズ保持体と、
上記第２レンズ保持体に設けられた第２カムフォロアと、
上記第１カムフォロアが係合する第１カム溝および上記第２カムフォロアが係合する第２カム溝を備えたカム体と、
上記光軸を回転軸として上記カム体を回転させる駆動機構と、
上記第１カムフォロアに係合する第１案内孔および上記第２カムフォロアに係合する第２案内孔を備えた案内体と、
を有し、
上記第２レンズ保持体の外周面は、上記第１カムフォロアを上記カム体との間で挟み込み、上記第１カムフォロアが上記第１カム溝から外れるのを防止することを特徴とするカメラ。
【請求項８】
前記第２レンズの後方に配置され、上記光軸方向に移動する第３レンズと、
上記第３レンズを保持する第３レンズ保持体と、
上記第３レンズ保持体に設けられた第３カムフォロアと、
を有し、
前記カム体は、上記第３カムフォロアが係合する第３カム溝を備え、
前記案内体は、上記第３カムフォロアに係合する第３案内孔を有することを特徴とする請求項７記載のカメラ。
【発明の詳細な説明】
【技術分野】
【０００１】
本発明は、カメラ等に用いられるレンズ鏡筒およびカメラに関するものである。
【背景技術】
【０００２】
被写体を大きくしたり小さくしたりする撮影、すなわちズーム撮影ができるカメラには、複数のレンズをそれぞれ保持する複数のレンズ保持体を光軸方向に繰り出して焦点距離を調整するいわゆる繰り出し式レンズ鏡筒を備えたものがある。
【０００３】
繰り出し式レンズ鏡筒の一例として、複数のレンズ保持体の周囲にカムフォロアを設け、これらのカムフォロアに係合するカム溝を内壁に備えたカム体と、カム体を回転させたときにレンズ保持体の回転を阻止すると共に、直進を許容する案内孔を備えた案内体とを有するレンズ鏡筒が挙げられる。
【０００４】
このようなレンズ鏡筒では、繰り出されたレンズ保持体に外力が加わると、そのレンズ保持体のカムフォロアが、カム体のカム溝から外れやすい。このため、レンズ保持体のカムフォロアの形状や案内体の案内孔の形状を改良して、カムフォロアがカム溝から外れにくい構造を採用しているレンズ鏡筒もある（たとえば、特許文献１参照）。
【０００５】
【特許文献１】特開２００２−２７７７１１号公報（要約書、図１，３）
【発明の開示】
【発明が解決しようとする課題】
【０００６】
図８に示すように、特許文献１のレンズ鏡筒９０では、レンズ保持体９２のカムフォロア９４の形状や、案内体９６の案内孔９８の形状を精度良く形成しないと、カムフォロア９４が案内孔９８を円滑に摺動しないおそれがあるが、カムフォロア９４や案内孔９８の形状を精度良く形成すれば、レンズ鏡筒９０の製造コストが増加してしまう問題点がある。
【０００７】
本発明は、以上の問題点を解消するためになされたもので、簡易な構成でもかかわらず、レンズ保持体が繰り出された状態で外力が加わっても、レンズ保持体のカムフォロアが、カム体のカム溝から外れるのを確実に防止したレンズ鏡筒およびカメラを提供することを目的とする。
【課題を解決するための手段】
【０００８】
上述の目的を達成するため、本発明は、光軸方向に移動する第１レンズを保持する第１レンズ保持体と、第１レンズ保持体に設けられた第１カムフォロアと、第１レンズの後方に配置され、光軸方向に移動する第２レンズを保持すると共に、第１レンズ保持体の内側に配置される第２レンズ保持体と、第２レンズ保持体に設けられた第２カムフォロアと、第１カムフォロアが係合する第１カム溝および第２カムフォロアが係合する第２カム溝を内壁に有すると共に、第１レンズ保持体および第２レンズ保持体の周囲に配置されているカム体と、を有し、第１レンズ保持体が光軸方向に繰り出された状態で、第２レンズ保持体が、光軸を中心とした径方向で第１カムフォロアと重なるように配置される状態を有するレンズ鏡筒である。
【０００９】
この発明では、第１レンズ保持体が光軸方向に繰り出された状態で、第２レンズ保持体が、光軸を中心とした径方向で第１カムフォロアと重なるように配置される状態を有するため、簡易な構成にもかかわらず、レンズ保持体を繰り出した状態で外力が加わっても、レンズ保持体のカムフォロアが、カム体のカム溝から外れるのを確実に防止することができる。なお、本明細書等では、レンズ鏡筒から被写体に向かう方向を前方といい、被写体からレンズ鏡筒に向かう方向を後方という。
【００１０】
第２レンズ保持体が、第１カムフォロアと、光軸を中心とした径方向で常時重なるように配置されている構成を採用することができる。この構成によって、簡易な構成にもかかわらず、レンズ保持体に外力が加わっても、レンズ保持体のカムフォロアが、カム体のカム溝から外れるのを常時防止することができる。
【００１１】
第１カムフォロアに係合する第１案内孔および第２カムフォロアに係合する第２案内孔を備えた案内体を有し、第１案内孔と第２案内孔とを兼用する構成を採用することができる。この構成によって、案内体の作成が容易になる。
【００１２】
第１レンズは、最も前方に配置されたレンズである構成を採用することができる。この構成によって、繰り出す距離が大きい最も前方のレンズのレンズ保持体のカムフォロアが、カム体のカム溝から外れるのを確実に防止することができる。
【００１３】
第１カムフォロアは、第１レンズ保持体と一体成型されている構成を採用することができる。この構成によって、第１カムフォロアと第１レンズ保持体とを同時に作成することができ、製造工程を簡易にすることができる。
【００１４】
他の発明は、上述のレンズ鏡筒を有するカメラである。この発明では、第１レンズ保持体が光軸方向に繰り出された状態で、第２レンズ保持体が、光軸を中心とした径方向で第１カムフォロアと重なるように配置される状態を有するため、簡易な構成にもかかわらず、カメラのレンズ鏡筒からレンズ保持体を繰り出した状態で外力が加わっても、レンズ保持体のカムフォロアが、カム体のカム溝から外れるのを確実に防止することができる。
【００１５】
他の発明は、光軸方向に移動する第１レンズと、第１レンズを保持する第１レンズ保持体と、第１レンズ保持体に設けられた第１カムフォロアと、第１レンズの後方に配置され、光軸方向に移動する第２レンズと、第２レンズを保持すると共に、第１レンズ保持体の内側に配置される第２レンズ保持体と、第２レンズ保持体に設けられた第２カムフォロアと、第１カムフォロアが係合する第１カム溝および第２カムフォロアが係合する第２カム溝を備えたカム体と、光軸を回転軸としてカム体を回転させる駆動機構と、第１カムフォロアに係合する第１案内孔および第２カムフォロアに係合する第２案内孔を備えた案内体と、を有し、第２レンズ保持体の外周面は、第１カムフォロアをカム体との間で挟み込み、第１カムフォロアが第１カム溝から外れるのを防止するカメラである。
【００１６】
この発明では、第２レンズ保持体の外周面は、第１カムフォロアをカム体との間で挟み込み、第１カムフォロアが第１カム溝から外れるのを防止するので、簡易な構成にもかかわらず、カメラのレンズ鏡筒からレンズ保持体を繰り出した状態で外力が加わっても、レンズ鏡筒が破損しない。
【００１７】
第２レンズの後方に配置され、光軸方向に移動する第３レンズと、第３レンズを保持する第３レンズ保持体と、第３レンズ保持体に設けられた第３カムフォロアと、を有し、カム体は、第３カムフォロアが係合する第３カム溝を備え、案内体は、第３カムフォロアに係合する第３案内孔を有する構成を採用することができる。この構成によって、レンズの数を増やすことができるので、被写体からカメラに入射する光の焦点距離の調整がより精密にできる。
【発明の効果】
【００１８】
本発明によれば、簡易な構成にもかかわらず、レンズ保持体が繰り出された状態で外力が加わっても、レンズ保持体のカムフォロアが、カム体のカム溝から外れるのを確実に防止したレンズ鏡筒およびカメラを得ることができる。
【発明を実施するための最良の形態】
【００１９】
以下、図面を参照しながら本発明に係るレンズ鏡筒の実施の形態について説明する。カメラについては、レンズ鏡筒と併せて説明する。
【００２０】
図１は、本発明の実施の形態に係るレンズ鏡筒１の断面端面図である。このレンズ鏡筒１は、円筒形状の第１レンズ保持体１０と、第１カムフォロア１２と、円筒形状の第２レンズ保持体１４と、第２カムフォロア１６と、円筒形状のカム体２０と、円筒形状の案内体２４とを有する。
【００２１】
第１レンズ保持体１０は、複数のレンズのうち被写体に最も近い位置、すなわち、最も前方に配置される第１レンズ２６を保持している。また、本実施の形態では、第１レンズ２６と第１レンズ保持体１０とが、別体で構成されているが、これらは、同一部材や別部材で一体に形成されていても良い。
【００２２】
第１レンズ保持体１０の周囲には、互いの中心角が約１２０度となるように等間隔に３つの第１カムフォロア１２（ただし、図示は１つのみ）が設けられている。また、３つの第１カムフォロア１２は、光軸Ｆ方向における位置がそれぞれ同じ（光軸Ｆを座標軸とした場合、３つの第１カムフォロア１２の位置を示す座標値が同じ）になっている。なお、本実施の形態に係るレンズ鏡筒１では、第１カムフォロア１２と第１レンズ保持体１０とが、別体で構成されているが、これらは、同一部材や別部材で一体に形成されていても良い。
【００２３】
第２レンズ保持体１４は、第１レンズ２６の後方に配置されている円筒形状の第２レンズ３０を保持している。また、第２レンズ保持体１４は、光軸Ｆを中心とした径方向で、第１カムフォロア１２および第１レンズ保持体１０と重なる領域１４ａを有している。このため、第１レンズ保持体１０をレンズ鏡筒１から繰り出して使用しているときに、第１レンズ保持体１０に外力が加わっても、第２レンズ保持体１４が第１カムフォロア１２を支えて、第１カムフォロア１２が、後述するカム体２０の第１カム溝３２ａ，３２ｂ，３２ｃから外れるのを防いでいる。
【００２４】
第２レンズ保持体１４の周囲には、互いの中心角が約１２０度となるように等間隔に３つの第２カムフォロア１６（ただし、図示は１つのみ）が設けられている。また、第２カムフォロア１６は、第１カムフォロア１２と同様に、光軸Ｆ方向における位置がそれぞれ同じになっている。なお、本実施の形態に係るレンズ鏡筒１では、第２カムフォロア１６と第２レンズ保持体１４とが、別体で構成されているが、これらは、同一部材や別部材で一体に形成されていても良い。
【００２５】
本実施の形態に係るレンズ鏡筒１は、第３レンズ保持体３６を有する。第３レンズ保持体３６は、第２レンズ３０の後方に配置されている第３レンズ３８を保持している。第３レンズ保持体３６の周囲には、互いの中心角が約１２０度となるように等間隔に３つの第３カムフォロア４０（ただし、図示は１つのみ）が設けられている。また、第３カムフォロア４０は、第１カムフォロア１２や第２カムフォロア１６と同様に、光軸Ｆ方向における位置がそれぞれ同じになっている。
【００２６】
なお、本実施の形態に係るレンズ鏡筒１では、第３カムフォロア４０と第３レンズ保持体３６とが、別体で構成されているが、これらは、同一部材や別部材で一体に形成されていても良い。また、第１、第２、第３カムフォロア１２，１６，４０は、３つとも光軸Ｆ方向に並んで配置されている。
【００２７】
カム体２０は、図５の展開図に示すように、第１カムフォロア１２が係合する第１カム溝３２、第２カムフォロア１６が係合する第２カム溝４６および第３カムフォロアが係合する第３カム溝４８を内壁に有している。詳細には、３つの第１カムフォロア１２がそれぞれ係合する第１カム溝３２ａ，３２ｂ，３２ｃ、３つの第２カムフォロア１６がそれぞれ係合する第２カム溝４６ａ，４６ｂ，４６ｃおよび３つの第３カムフォロア４０がそれぞれ係合する第３カム溝４８ａ，４８ｂ，４８ｃを内壁に有していて、第１、第２、第３レンズ保持体１０，１４，３６の周囲に配置されている。
【００２８】
第１カム溝３２ａ，３２ｂ，３２ｃ、第２カム溝４６ａ，４６ｂ，４６ｃおよび第３カム溝４８ａ，４８ｂ，４８ｃの形状は、図５に示すように、一部または全体が螺旋形状になっている。また、第１カム溝３２、第２カム溝４６および第３カム溝４８の断面形状は、たとえば、円弧状、略Ｖ字状、略Ｕ字状等の形状を採用することができる。
【００２９】
案内体２４は、３つの第１カムフォロア１２がそれぞれ通過する第１案内孔と、３つの第２カムフォロア１６がそれぞれ通過する第２案内孔と、３つの第３カムフォロア４０がそれぞれ通過する第３案内孔を有している。本実施の形態に係るレンズ鏡筒１の案内体２４では、図６に示すように、第１、第２、第３案内孔は兼用されており、３つの連通案内孔５６，５７，５８を形成している。すなわち、連通案内孔５６は、被写体側の先端部から、撮像側の後端部から少し離れた位置までが、第１案内孔として利用され、被写体側の先端部と撮像側の後端部の両端部を除く中央領域が、第２案内孔として利用され、略中央部から撮像側の後端部までが、第３案内孔として利用されている。他の連通案内孔５７，５８も、同様の形態で利用されている。なお、連通案内孔５６，５７，５８は、互いの中心角が約１２０度となるように等間隔に設けられている。
【００３０】
このように、第１、第２、第３案内孔をそれぞれ連通させることによって、第１、第２、第３案内孔をそれぞれ独立に形成した場合に比べて、案内体２４に案内孔を形成する作業が容易になる。
【００３１】
駆動機構は、カム体２０の外周に嵌合する図示されないギアと、ギアを回転させる図示されない回転モータとから構成されている。駆動機構によって、光軸Ｆを回転軸としてカム体２０を回転させると、第１、第２、第３レンズ保持体１０，１４，３６は、それぞれ案内体２４の第１案内孔、第２案内孔および第３案内孔によって回転を阻止されながら、光軸Ｆ方向に移動する。移動の仕組みについては、後述する。
【００３２】
なお、駆動機構は、ギアを有さずカム体２０に直接接続された回転モータから構成されていても良いし、複数のギアを有しても良い。また、回転モータとしては、電気式や磁気式や電磁式等のモータが使用できる。
【００３３】
また、本実施の形態に係るレンズ鏡筒１は、第３レンズ３８の後方に第４レンズ６０を有する。第４レンズ６０は、近接して配置されている駆動モータ６２によって、光軸Ｆ方向に移動させられて、被写体からカメラ７０に入射する光の合焦状態の調整をする。
【００３４】
次に、図７を参照しながら、このレンズ鏡筒１を含むカメラ７０のシステム構成を説明する。
【００３５】
このカメラ７０は、第１、第２、第３レンズ２６，３０，３８をそれぞれ保持する第１、第２、第３レンズ保持体１０，１４，３６を光軸Ｆ方向に駆動してズーミング動作を実現するドライバ７２と、撮像素子７４から得られる画像信号を処理する画像信号処理部７６と、画像データを保存するメモリデバイス７８と、電子処理をするための画像を一時保管するメモリ８０と、光学画像や電子処理された電子画像を表示する液晶表示素子からなる表示手段８２と、これらの各部材をコントロールするシステムコントローラとしてのＭＰＵ（Micro Processing Unit）８４と、を有している。
【００３６】
レンズ鏡筒１は、第１、第２、第３レンズ２６，３０，３８を含む第１、第２、第３レンズ保持体１０，１４，３６等からなるレンズ鏡筒１のメカ部分と、駆動モータ６２等からなる。
【００３７】
次に、レンズ鏡筒１における第１、第２、第３レンズ保持体１０，１４，３６の光軸Ｆ方向への移動の仕組みについて、図５を参照しながら説明する。
【００３８】
まず、第１、第２、第３レンズ２６，３０，３８は、それぞれの駆動範囲内で最も後方のいわゆる沈胴位置にあるとする。沈胴位置に対応する各３つの第１、第２、第３カムフォロア１２，１６，４０の位置は、図５のＡで示す位置であり、第１、第２、第３レンズ２６，３０，３８が図２の状態となっている位置でもある。撮影を行うときには、まず、カメラ７０の図示されない動作スイッチをオンにする。ＭＰＵ８４がオン指令を受け取ると、ドライバ７２に第１、第２、第３レンズ２６，３０，３８を光軸Ｆ方向の前方に駆動させる指令を出す。そうすると、ズームドライバ７２は、回転モータに動力源を供給してカム体２０を回転させる。
【００３９】
カム体２０が図５で矢示Ｘ方向に回転しても、第１、第２、第３カムフォロア１２，１６，４０は、カム体２０が図５の矢示Ｘ方向に回転している間、側壁５６ａ，５７ａ，５８ａにより矢示Ｘ方向への回転が制限され、矢示Ｘ方向には回転しない。
【００４０】
このように、第１、第２、第３レンズ保持体１０，１４，３６が案内体２４の連通案内孔５６，５７，５８に突き当たることで、第１、第２、第３レンズ保持体１０，１４，３６の光軸Ｆを回転軸とした回転運動が阻止される。このため、第１、第２、第３レンズ保持体１０，１４，３６は、カム溝３２，４６，４８の光軸Ｆに沿った方向（前方）の移動のみが行われる。
【００４１】
すなわち、光軸Ｆを回転軸としてカム体２０を回転させたときに、連通案内孔５６，５７，５８の第１案内孔に相当する部分が、第１レンズ保持体１０の回転を阻止しつつ、第１レンズ保持体１０の光軸Ｆ方向の移動を許容し、連通案内孔５６，５７，５８の第２案内孔に相当する部分が、第２レンズ保持体１４の回転を阻止しつつ、第２レンズ保持体１４の光軸Ｆ方向の移動を許容し、連通案内孔５６，５７，５８の第３案内孔に相当する部分が、第３レンズ保持体３６の回転を阻止しつつ、第３レンズ保持体３６光軸Ｆ方向の移動を許容していることになる。
【００４２】
このようにして、第１、第２、第３レンズ２６，３０，３８が沈胴位置から広角撮影位置に移動していく。広角撮影位置は、図５のＢで示す位置であり、第１、第２、第３レンズ２６，３０，３８が図１の状態となっている位置でもある。第１、第２、第３レンズ２６，３０，３８が広角撮影位置になると、レンズ系が撮影可能となる。
【００４３】
第１、第２、第３レンズ２６，３０，３８が広角撮影位置になった状態で、ズーミング指示を行うと、ＭＰＵ８４はドライバ７２にズームの指令を行う。すると、カム体２０が矢示Ｘ方向にさらに回転し、同様の仕組みによって、第１、第２、第３レンズ２６，３０，３８が広角撮影位置から望遠撮影位置に移動していく。望遠撮影位置は、図５のＣで示す位置であり、第１、第２、第３レンズ２６，３０，３８が図３の状態となっている位置でもある。
【００４４】
反対に、第１、第２、第３レンズ２６，３０，３８が望遠撮影位置から広角撮影位置に移動する仕組みは、次のとおりとなる。
【００４５】
図示されないズームスイッチを操作し、縮小のズーミング指令をＭＰＵ８４が受け取ると、ＭＰＵ８４はドライバ７２に第１、第２、第３レンズ保持体１０，１４，３６を広角撮影位置の方向に駆動させる指令を出す。そうすると、ドライバ７２は、回転モータに動力源を供給して、カム体２０を先ほどとは逆方向に回転させる。これにより、カム体２０は図５の矢示Ｙ方向に回転する。
【００４６】
第１、第２、第３カムフォロア１２，１６，４０は、カム体２０が図５の矢示Ｙ方向に回転している間、側壁５６ｂ，５７ｂ，５８ｂにより矢示Ｙ方向への回転が制限され、矢示Ｘ方向には回転しない。
【００４７】
このように、第１、第２、第３レンズ保持体１０，１４，３６が案内体２４の連通案内孔５６，５７，５８に突き当たることで、第１、第２、第３レンズ保持体１０，１４，３６の光軸Ｆを回転軸とした回転運動が阻止される。このため、第１、第２、第３レンズ保持体１０，１４，３６は、カム溝３２，４６，４８の光軸Ｆに沿った方向（後方）の移動のみが行われる。
【００４８】
なお、第１、第２、第３カムフォロア１２，１６，４０が、矢示Ｘ方向および矢示Ｙ方向に対してガタつきを生ずることなく、しかも、光軸Ｆ方向に円滑に移動できるように、連通案内孔５６，５７，５８の幅と、第１、第２、第３カムフォロア１２，１６，４０の外周径とが、互いに設定されている。
【００４９】
このようにして、第１、第２、第３レンズ２６，３０，３８が望遠撮影位置から広角撮影位置に移動していく。第１、第２、第３レンズ２６，３０，３８が望遠撮影位置から広角撮影位置に移動する途中の状態、すなわち、第１、第２、第３レンズ２６，３０，３８が望遠撮影位置と広角撮影位置との間の位置は、図５のＤで示す位置であり、第１、第２、第３レンズ２６，３０，３８が図４の状態となっている位置でもある。
【００５０】
カメラ７０の撮影を止めるときには、図示されない動作スイッチをオフ操作する。すると、カム体２０は、矢示Ｙ方向に回転する。その結果、同様の仕組みによって、第１、第２、第３レンズ２６，３０，３８が、広角撮影位置や望遠撮影位置やその間の位置から沈胴位置に移動していく。
【００５１】
ズーム撮影を行っている状態では、第１、第２、第３レンズ２６，３０，３８が、広角撮影位置や望遠撮影位置やその間の位置にある。このとき、少なくとも第１レンズ保持体１０は、レンズ鏡筒１から繰り出された位置にある。本実施の形態に係るレンズ鏡筒１では、第２レンズ保持体１４が、光軸Ｆを中心とした径方向で第１カムフォロア１２および第１レンズ保持体１０と重なる領域１４ａを有するため、第１レンズ保持体１０がレンズ鏡筒１から繰り出された状態で外力を受けても、第２レンズ保持体１４が第１カムフォロア１２を支えて、第１カムフォロア１２がカム体２０の第１カム溝３２ａ，３２ｂ，３２ｃから外れるのを防いでいる。
【００５２】
さらに、第２レンズ保持体１４の光軸Ｆを中心とした径方向で第１レンズ保持体１０と重なる領域１４ａは、第１レンズ保持体１０が最も繰り出された状態で、常にその一部が重なるように構成されており、第１カムフォロア１２がカム溝３２から外れるのを確実に防止することができる。すなわち、広角撮影位置でも、望遠撮影位置でも、その中間の位置でも、常に第２レンズ保持体１４の外周面が、第１カムフォロア１２の根元を支えるようにカム体２０と協働して挟み込んでいる。
【００５３】
以上に説明した本実施の形態は、本発明の好適な例であるが、本発明の要旨を逸脱しない範囲で種々変更実施可能である。たとえば、第１、第２、第３レンズ２６，３０，３８が望遠撮影位置のときには、第２レンズ保持体１４が、光軸Ｆを中心とした径方向で第１カムフォロア１２および第１レンズ保持体１０を支えていなくても良い。すなわち、支えていない状態（第２レンズ保持体１４が、光軸Ｆを中心とした径方向で第１カムフォロア１２および第１レンズ保持体１０と重なっていない状態）が存在しても良い。
【００５４】
また、本実施の形態に係るレンズ鏡筒１では、光軸Ｆを中心とした径方向の内側から外側に向かって、レンズ保持体１０，１４，３６、案内体２４、カム体２０の順序で配置したが、これに代えて、光軸Ｆを中心とした径方向の内側から外側に向かって、レンズ保持体１０，１４，３６、カム体２０、案内体２４の順序で配置しても良い。
【００５５】
また、第３レンズ保持体３６は、第１、第２、第３レンズ保持体１０，１４，３６が、望遠撮影位置や、望遠撮影位置と広角撮影位置の間の位置にあるときにも、光軸Ｆを中心とした径方向で第２レンズ保持体１４と重なるようにしても良い。
【００５６】
また、本実施の形態に係るレンズ鏡筒１では、各１つのレンズ保持体１０，１４，３６に、それぞれ３つのカムフォロア１２，１２，１２，１６，１６，１６，４０，４０，４０を設けたが、それぞれ４つ以上であっても良いし、場合によっては、それぞれ２つ以下であっても良い。また、本実施の形態に係るレンズ鏡筒１では、案内体２４を設けたが、案内体２４を設けず、かつ、カム体２０を回転させずに、レンズ保持体１０，１４，３６を直接駆動させて、光軸Ｆ方向に形成されたカム溝３２，４６，４８内を移動させることによって、レンズを光軸Ｆ方向に移動させても良い。
【００５７】
また、本実施の形態に係るレンズ鏡筒１では、カム体２０を回転させることによって光軸Ｆ方向に移動するレンズ２６，３０，３８を３つ設けたが、カム体２０を回転させることによって光軸Ｆ方向に移動するレンズの数は２つであっても、４つ以上であっても良い。
【産業上の利用可能性】
【００５８】
本発明は、光学カメラやデジタルカメラ等の各種光学機器に適用できる。また、カメラ機能を有する携帯電話機等の携帯機器に適用できる。さらに、レンズの位置切り換え機構を備えている電子機器に組み込むことも可能である。
【図面の簡単な説明】
【００５９】
【図１】本発明の実施の形態に係るレンズ鏡筒で、レンズが広角撮影位置にある状態で断面にした端面図である。
【図２】本発明の実施の形態に係るレンズ鏡筒で、レンズが沈胴位置にある状態で断面にした端面図である。
【図３】本発明の実施の形態に係るレンズ鏡筒で、レンズが望遠撮影位置にある状態で断面にした端面図である。
【図４】本発明の実施の形態に係るレンズ鏡筒で、レンズが望遠撮影位置と広角撮影位置との間にある状態で断面にした端面図である。
【図５】本発明の実施の形態に係るレンズ鏡筒のカム体の内壁を示す平面展開図である。
【図６】本発明の実施の形態に係るレンズ鏡筒の案内体の内壁を示す平面展開図である。
【図７】本発明の実施の形態に係るカメラのシステム構成を示すブロック図である。
【図８】従来のレンズ鏡筒を示す要部断面図で、（ａ）は、光軸を含み光軸と平行な切断面で切断した断面図であり、（ｂ）は、（ａ）のＩ−Ｉ線で切断した断面図である。
【符号の説明】
【００６０】
１  レンズ鏡筒
１０  第１レンズ保持体
１２  第１カムフォロア
１４  第２レンズ保持体
１６  第２カムフォロア
２０  カム体
２４  案内体
２６  第１レンズ
３０  第２レンズ
３２  第１カム溝
３６  第３レンズ保持体
３８  第３レンズ
４０  第３カムフォロア
４６  第２カム溝
４８  第３カム溝
５６，５７，５８  連通案内孔
７０  カメラ
Ｆ  光軸
【図１】
2005189443.tif 000003
【図２】
2005189443.tif 000004
【図３】
2005189443.tif 000005
【図４】
2005189443.tif 000006
【図５】
2005189443.tif 000007
【図６】
2005189443.tif 000008
【図７】
2005189443.tif 000009
【図８】
2005189443.tif 000010